(57)【要約】【課題】著作権管理団体が著作権処理にかかわるビジネスを簡便に、低コストかつ早期に実現するとともに、著作権者の著作権処理を簡便にすることにより放送によるコンテンツの流通を活性化させる工夫が施された情報処理装置、その情報処理装置による情報管理方法、およびその情報処理装置に組み込まれた情報管理プログラムを提供する。【解決手段】  上記目的を達成する本発明の情報処理装置は、放送事業者の端末装置からコンテンツの放送スケジュール情報を受信し、この放送スケジュール情報に含まれるコンテンツごとに固有のコンテンツ識別情報を生成し、そのコンテンツ識別情報を記憶するコンテンツ識別情報生成手段と、コンテンツ識別情報を放送事業者の端末装置に送信するコンテンツ識別情報送信手段と、ユーザ端末装置から、そのコンテンツ識別情報およびユーザ識別情報の通知を受ける視聴通知受信手段と、を備える。【選択図】図２
2008191735.tif 000002
【特許請求の範囲】
【請求項１】
放送事業者によって放送されるコンテンツの視聴状況を管理する情報処理装置であって、
前記放送事業者の端末装置からコンテンツの放送スケジュールを表す放送スケジュール情報を受信し、この放送スケジュール情報に含まれるコンテンツごとに固有のコンテンツ識別情報を生成し、該コンテンツ識別情報を記憶するコンテンツ識別情報生成手段と、
前記コンテンツ識別情報を前記放送事業者の端末装置に送信するコンテンツ識別情報送信手段と、
放送用電波にてコンテンツを放送する前記放送事業者の放送装置から放送されたコンテンツ識別情報に対応するコンテンツおよび当該コンテンツに含まれるコンテンツ識別情報を受信したユーザ端末装置から、該コンテンツ識別情報およびユーザ端末装置固有のユーザ識別情報の通知を受ける視聴通知受信手段と、を備えたことを特徴とする情報処理装置。
【請求項２】
前記コンテンツ識別情報生成手段は、放送スケジュール情報に基づいてコンテンツを特定するコンテンツ特定情報と前記生成したコンテンツ識別情報とを対応付けて記憶する、ことを特徴とする請求項１記載の情報処理装置。
【請求項３】
前記コンテンツ識別情報生成手段は、生成したコンテンツ識別情報の有効期間を設定して記憶し、
前記視聴通知受信手段は、前記ユーザ端末装置から通知されたコンテンツ識別情報を該コンテンツ識別情報に設定された有効期間内のみ受け付ける、ことを特徴とする請求項１又は２記載の情報処理装置。
【請求項４】
前記視聴通知受信手段にて受信したコンテンツ識別情報およびユーザ識別情報に基づいて、ユーザごとに各コンテンツの視聴状況を表す視聴状況情報を記憶し管理する視聴状況管理手段を、さらに備えたことを特徴とする請求項１から３のうちいずれか１項記載の情報処理装置。
【請求項５】
前記視聴状況管理手段は、前記視聴通知受信手段にて通知されたコンテンツ識別情報が、前記コンテンツ識別情報生成手段にて記憶されているコンテンツ識別情報のうちのいずれかと合致するか否かを判定する、ことを特徴とする請求項４記載の情報処理装置。
【請求項６】
前記視聴状況管理手段による判定結果が合致した場合には、該視聴状況管理手段にて管理されている視聴状況情報に基づいて視聴に対する対価を算出する対価算出手段を、さらに備えたことを特徴とする請求項５記載の情報処理装置。
【請求項７】
前記対価算出手段にて算出する対価は、各コンテンツの提供に対する対価と、ユーザが視聴したことに対する対価とである、ことを特徴とする請求項６記載の情報処理装置。
【請求項８】
情報処理装置が放送事業者によって放送されるコンテンツの視聴状況を管理する情報管理方法であって、
前記放送事業者の端末装置からコンテンツの放送スケジュールを表す放送スケジュール情報を受信し、この放送スケジュール情報に含まれるコンテンツごとに固有のコンテンツ識別情報を生成するコンテンツ識別情報生成工程と、
前記コンテンツ識別情報を記憶すると共に前記放送事業者の端末装置に送信するコンテンツ識別情報送信工程と、
放送用電波にてコンテンツを放送する、前記放送事業者の放送装置から放送されたコンテンツ識別情報に対応するコンテンツおよび当該コンテンツに含まれるコンテンツ識別情報を受信したユーザ端末装置から、該コンテンツ識別情報およびユーザ端末装置固有のユーザ識別情報の通知を受ける視聴通知受信工程と、を備えたことを特徴とする情報管理方法。
【請求項９】
情報処理装置に、放送事業者の端末装置からコンテンツの放送スケジュールを表す放送スケジュール情報を受信し、この放送スケジュール情報に含まれるコンテンツごとに固有のコンテンツ識別情報を生成し、該コンテンツ識別情報を記憶するコンテンツ識別情報生成手段と、
前記コンテンツ識別情報を前記放送事業者の端末装置に送信するコンテンツ識別情報送信手段と、
放送用電波にてコンテンツを放送する、前記放送事業者の放送装置から放送されたコンテンツ識別情報に対応するコンテンツおよび当該コンテンツに含まれるコンテンツ識別情報を受信したユーザ端末装置から、該コンテンツ識別情報およびユーザ端末装置固有のユーザ識別情報の通知を受ける視聴通知受信手段と、を実現するための情報管理プログラム。
【発明の詳細な説明】
【技術分野】
【０００１】
本発明は、放送事業者によって放送されるコンテンツの視聴状況を管理する情報処理装置、その情報処理装置を用いた情報管理方法、および情報処理装置に組み込まれて動作する情報管理プログラムに関する。
【背景技術】
【０００２】
近年、コンテンツ（放送番組等）の著作権者やコンテンツを保有するコンテンツホルダ（レコード会社や製作プロダクション等）から、コンテンツを放送する放送事業者等に要求するコンテンツの使用料（著作権料）の支払いなどに伴う管理を委託されて、それらの管理を行う著作権管理ビジネスが知られている。
【０００３】
このような著作権管理ビジネスにおいて、コンテンツ使用料は、放送事業者等の自己申告に基づいて、支払われていることが多い。この場合、著作権管理団体としては、自己申告が正しくなされない場合を考慮して、自ら管理している放送番組のコンテンツの配信状況を監視することが望ましい。そこで、放送番組のコンテンツの配信状況の監視を専門に行う著作権コンテンツモニタリング事業者などに依頼することにより、コンテンツの配信状況の監視を行う著作権コンテンツモニタリングシステムが提案されている（例えば、特許文献１参照）。
【０００４】
この特許文献１に開示されたシステムによれば、コンテンツに対応した著作権の権利処理に関わる情報を予め記憶し、放送局から配信されたコンテンツを２４時間３６５日自動的に監視する。そして、配信されたコンテンツが、先に記憶した権利処理に関わる情報と合致する場合、コンテンツの配信状況を表す情報を自動的に生成するとともに、監視したコンテンツの全てについて著作権の有効性について自動的に判別する。これにより、著作権管理団体は、自ら管理している放送番組の配信状況や著作権の有効性を正確に知ることができる。
【０００５】
ところで、放送番組用のコンテンツの配信状況の監視に関連する技術として、それらのコンテンツの視聴状況を調べるために、インターネットや電話回線を利用した視聴率調査を行うデータ収集装置が提案されている（例えば、特許文献２参照）。
【０００６】
特許文献２に開示されたデータ収集装置を用いた視聴率調査においては、まず、放送局がコンテンツごとにコンテンツ識別情報を付与して、このコンテンツ識別情報が付与されたコンテンツを電波放送する。次に、受信装置がコンテンツを受信し、この受信装置に設けられている映像出力部および音声出力部を介して、視聴者によりコンテンツの番組が一定時間継続して視聴された場合には、この受信装置は、インターネットを介してコンテンツに付与されているコンテンツ識別情報をデータ収集装置に送信する。このデータ収集装置は、コンテンツ識別情報を管理して、視聴率を算出する。
【０００７】
【特許文献１】特開２００２−３１８８７４号公報
【特許文献２】特開２００６−２５４０１５号公報
【発明の開示】
【発明が解決しようとする課題】
【０００８】
しかしながら、特許文献１に開示されたシステムでは、放送局から配信されたコンテンツを２４時間３６５日自動的に監視して著作権の有効性を自動的に判別しているため、システムに対する負荷が大きい。そのため、コンテンツの視聴状況にかかわる著作権処理を簡易的に進めたい放送事業者にとっては、上記システムでは融通性が低いと判断し、放送事業者が著作権利処理のビジネスに参加しづらいという問題が生じるおそれがある。
【０００９】
また、著作権管理団体にとしては、コンテンツの一種であるアーカイブ映像において、違法なアーカイブ映像の流通を回避すべく、予防方法を早期に確立し運用したい一方、アーカイブ映像等を保有する放送事業者の上記システムへの参加等の協力がなくては、権利処理が円滑に進まないという問題がある。そのため、著作権管理団体としては、放送事業者が簡易的に進められる著作権処理の方法を提供することが望ましい。例えば、特許文献２に開示されたデータ収集装置の視聴率調査のように、放送事業者の側で、コンテンツごとにコンテンツの識別情報を付与することは、放送事業者にとって、著作権処理が面倒となるという問題が生じる。
【００１０】
さらに、特許文献１に開示されたシステムでは、上述した通り、著作権コンテンツモニタリング事業者の介在も必要であり、著作権処理にかかわるビジネスを簡便にできず、コストがかかるため、早期に実現できない。したがって、著作権管理団体にとっては、システムの構築の投資に必要な費用や期間に多大な負担や時間をかけないことが望ましい。
【００１１】
そこで、本発明は、上記事情に鑑み、コンテンツ配信にかかわるビジネスを簡便に、低コストかつ早期に実現するとともに、コンテンツの流通を活性化させる工夫が施された情報処理装置、その情報処理装置による情報管理方法、およびその情報処理装置に組み込まれた情報管理プログラムを提供することを目的とする。
【課題を解決するための手段】
【００１２】
上記目的を達成する本発明の情報処理装置は、
放送事業者によって放送されるコンテンツの視聴状況を管理する情報処理装置であって、
上記放送事業者の端末装置からコンテンツの放送スケジュールを表す放送スケジュール情報を受信し、この放送スケジュール情報に含まれるコンテンツごとに固有のコンテンツ識別情報を生成し、そのコンテンツ識別情報を記憶するコンテンツ識別情報生成手段と、
上記コンテンツ識別情報を上記放送事業者の端末装置に送信するコンテンツ識別情報送信手段と、
放送用電波にてコンテンツを放送する上記放送事業者の放送装置から放送されたコンテンツ識別情報に対応するコンテンツおよびそのコンテンツに含まれるコンテンツ識別情報を受信したユーザ端末装置から、そのコンテンツ識別情報およびユーザ端末装置固有のユーザ識別情報の通知を受ける視聴通知受信手段と、を備えたことを特徴とする。
【００１３】
本発明の情報処理装置によれば、まず、上記コンテンツ識別情報生成手段にて、上記放送事業者の端末装置からコンテンツの放送スケジュール情報を受信し、この放送スケジュール情報に含まれるコンテンツごとに固有のコンテンツ識別情報を生成し、そのコンテンツ識別情報を記憶する。
【００１４】
続いて、上記コンテンツ識別情報送信手段にて、上記コンテンツ識別情報を上記放送事業者の端末装置に送信する。すると、生成されたコンテンツ識別情報を受信し、放送事業者は、コンテンツ識別情報をコンテンツに含めて電波等により放送する。そして、ユーザは、放送電波をユーザ端末装置にて受信して、コンテンツとしての放送番組を視聴する。このとき、ユーザ端末装置がコンテンツに含まれるコンテンツ識別情報を抽出し、そのコンテンツ識別情報およびユーザ端末装置固有のユーザ識別情報を上記情報処理装置に送信する。すると、上記情報処理装置は、上記視聴通知受信手段にて、ユーザ端末装置から送信されてきたコンテンツ識別情報およびユーザ識別情報の通知を受ける。
【００１５】
上記構成によれば、放送番組を視聴したユーザのユーザ端末装置から、コンテンツ識別情報およびユーザ識別情報の通知を受けることで、コンテンツの視聴状況を把握することができる情報処理装置が提供される。したがって、コンテンツ管理事業者は、コンテンツモニタリング事業者に常時、コンテンツの配信状況の監視を依頼せずに済む。そのため、著作権管理団体が著作権処理にかかわるビジネスを簡便に、低コストかつ早期に実現できる。また、放送事業者がコンテンツ識別情報を付与するような処理は必要とせず、著作権者の著作権処理が簡便になり、放送事業者は、電波を通じてコンテンツを簡便に配信できるようになる。その結果、放送によるコンテンツの流通が活性化される。
【００１６】
また、上記本発明の情報処理装置において、上記コンテンツ識別情報生成手段は、放送スケジュール情報に基づいてコンテンツを特定するコンテンツ特定情報と前記生成したコンテンツ識別情報とを対応付けて記憶する、ことが好ましい。
【００１７】
これにより、例えば、１つのコンテンツ識別情報について、番組名、著作権の権利者名など、複数の情報を含ませることができる。したがって、著作権管理事業者は、コンテンツに含まれる複数の情報を管理することができるとともに、ユーザの視聴状況をより詳細に把握することができる。
【００１８】
また、上記本発明の情報処理装置において、上記コンテンツ識別情報生成手段は、生成したコンテンツ識別情報の有効期間を設定して記憶し、
前記視聴通知受信手段は、前記ユーザ端末装置から通知されたコンテンツ識別情報を該コンテンツ識別情報に設定された有効期間内のみ受け付ける、ことが好ましい。
【００１９】
これにより、仮にネット上で悪戯情報として、コンテンツ識別番号が流通した場合であっても、有効期間を短く設定するなどにより、その悪戯による不正な入力を排除することができる。
【００２０】
また、上記本発明の情報処理装置において、上記視聴通知受信手段にて受信したコンテンツ識別情報およびユーザ識別情報に基づいて、ユーザごとに各コンテンツの視聴状況を表す視聴状況情報を記憶し管理する視聴状況管理手段を、さらに備えることが好ましい。
【００２１】
このような構成によれば、ユーザごとに各コンテンツの視聴状況を記憶し管理することができる。これにより、ユーザごとに各コンテンツの視聴状況が的確に把握される。
【００２２】
また、上記本発明の情報処理装置において、上記視聴状況管理手段は、上記視聴通知受信手段にて通知されたコンテンツ識別情報が、上記コンテンツ識別情報生成手段にて記憶されているコンテンツ識別情報のうちのいずれかと合致するか否かを判定する、ことが好ましい。
【００２３】
上記構成によれば、ユーザが誤ってコンテンツ識別情報を入力した場合に情報処理装置は、その誤りを認識することができる。これにより、ユーザに対して誤入力を通知するなどして、再度、コンテンツ識別情報を入力させることができる。
【００２４】
また、上記本発明の情報処理装置において、上記視聴状況管理手段による判定結果が合致した場合には、その視聴状況管理手段にて管理されている視聴状況情報に基づいて視聴に対する対価を算出する対価算出手段を、さらに備えることが好ましい。
【００２５】
このような対価算出手段を新たに備えることにより、上記視聴状況管理手段による判定結果が合致した場合には、視聴に対する対価を算出し、その後精算される。したがって、上記著作権管理事業者は、対価を容易に精算する仕組みを導入できる。これにより、コンテンツ流通の活性化がしやすくなる。
【００２６】
さらに、上記本発明の情報処理装置において、上記対価算出手段にて算出する対価は、各コンテンツの提供に対する対価と、ユーザが視聴したことに対する対価とである、ことが好適である。
【００２７】
これにより、コンテンツを提供している著作権者等やユーザに支払われる対価が決定される。
【００２８】
ここで、上記目的を達成する本発明の情報管理方法は、
情報処理装置が放送事業者によって放送されるコンテンツの視聴状況を管理する情報管理方法であって、
上記放送事業者の端末装置からコンテンツの放送スケジュールを表す放送スケジュール情報を受信し、この放送スケジュール情報に含まれるコンテンツごとに固有のコンテンツ識別情報を生成するコンテンツ識別情報生成工程と、
上記コンテンツ識別情報を記憶すると共に前記放送事業者の端末装置に送信するコンテンツ識別情報送信工程と、
放送用電波にてコンテンツを放送する、上記放送事業者の放送装置から放送されたコンテンツ識別情報に対応するコンテンツおよびそのコンテンツに含まれるコンテンツ識別情報を受信したユーザ端末装置から、そのコンテンツ識別情報およびユーザ端末装置固有のユーザ識別情報の通知を受ける視聴通知受信工程と、を備えたことを特徴とする。
【００２９】
本発明の情報管理方法によれば、まず、上記コンテンツ識別情報生成工程にて、上記放送事業者の端末装置からコンテンツの放送スケジュールを表す放送スケジュール情報を受信し、この放送スケジュール情報に含まれるコンテンツごとに固有のコンテンツ識別情報を生成し、そのコンテンツ識別情報を記憶する。
【００３０】
続いて、上記コンテンツ識別情報送信工程にて、上記コンテンツ識別情報を上記放送事業者の端末装置に送信する。放送事業者は、コンテンツ識別情報を含めてコンテンツを電波等により放送する。ユーザは、ユーザ端末装置にて、放送電波を受信してコンテンツとしての放送番組を視聴する。ここで、コンテンツに含まれるコンテンツ識別情報をユーザ端末装置が抽出し、そのコンテンツ識別情報およびユーザ端末装置固有のユーザ識別情報を上記情報処理装置に送信する。さらに、上記視聴通知受信工程にて、上記情報処理装置は、ユーザ端末装置から送信されてきたコンテンツ識別情報およびユーザ識別情報の通知を受ける。
【００３１】
上記構成によれば、放送番組を視聴したユーザのユーザ端末装置から、コンテンツ識別情報およびユーザ識別情報の通知を受けることで、コンテンツの視聴状況を把握することができる情報管理方法が提供される。したがって、著作権管理事業者は、著作権コンテンツモニタリング事業者に常時、コンテンツの配信状況の監視を依頼せずに済む。そのため、著作権管理団体が著作権処理にかかわるビジネスを簡便に、低コストかつ早期に実現できる。また、放送事業者がコンテンツ識別情報を付与するような処理は必要とせず、著作権利者の著作権処理が簡便になり、放送事業者は、電波を通じてアーカイブ映像等の放送番組のコンテンツを簡便に配信できるようになる。その結果、放送によるコンテンツの流通が活性化される。
【００３２】
ここで、上記目的を達成する本発明の情報管理プログラムは、
情報処理装置に放送事業者の端末装置からコンテンツの放送スケジュールを表す放送スケジュール情報を受信し、この放送スケジュール情報に含まれるコンテンツごとに固有のコンテンツ識別情報を生成し、そのコンテンツ識別情報を記憶するコンテンツ識別情報生成手段と、
上記コンテンツ識別情報を前記放送事業者の端末装置に送信するコンテンツ識別情報送信手段と、
放送用電波にてコンテンツを放送する、上記放送事業者の放送装置から放送されたコンテンツ識別情報に対応するコンテンツおよびそのコンテンツに含まれるコンテンツ識別情報を受信したユーザ端末装置から、そのコンテンツ識別情報およびユーザ端末装置固有のユーザ識別情報の通知を受ける視聴通知受信手段と、を実現する。
【発明の効果】
【００３３】
本発明によれば、コンテンツ配信にかかわるビジネスを簡便に、低コストかつ早期に実現するとともに、コンテンツの流通を活性化させる工夫が施された情報処理装置、その情報処理装置による情報管理方法、およびその情報処理装置に組み込まれた情報管理プログラムが提供される。
【発明を実施するための最良の形態】
【００３４】
以下、図面を参照して本発明の実施形態を説明する。ここでは、本発明の情報管理プログラムに基づいて動作する情報処理装置、およびその情報処理装置で実行される本発明の情報管理方法について説明する。なお、以下では、本発明の情報処理装置として、インターネットに接続されて、放送事業者によって放送されるコンテンツの視聴状況を主に管理するサーバ装置を例に挙げて説明する。
【実施例１】
【００３５】
[構成]
本実施例では、システムを運用するに際して、以下に述べる契約がなされているものとして話を進める。著作権料の原資は、放送事業者から放送される映像等に挿入する広告料を原資とするため、予め放送事業者と広告主との間で広告料支払いに関する契約締結がなされていることを前提とする。
【００３６】
また、著作権管理団体と放送事業者とはインターネット等で接続されており、放送事業者の保有するアーカイブ等映像資産の著作権利情報に関して、放送事業者により、適宜、情報追加や情報更新を後述する著作権管理団体のサーバ装置内の「アーカイブ権利情報−ＤＢ（Ｄａｔａｂａｓｅ）」に対して行うことができる契約を前提とする。なお、このアーカイブ権利情報−ＤＢについては、後で詳述する。さらに、著作権管理団体と放送事業者との間では、放送事業者がアーカイブ等の映像資産を電波等の媒体にて放送するのに先立ち、予め放送番組の情報を著作権管理団体に提出すると共に、後述するシリアル番号の発行依頼を著作権管理団体に行う契約を前提とする。
【００３７】
また、視聴者から視聴事実の申告を受け、その謝礼を著作権管理団体から視聴者に支払うために必要なユーザＩＤ（Ｉｄｅｎｔｉｆｉｃａｔｉｏｎ）を発行する。このユーザＩＤは、放送事業者と視聴者との間で予め交わされる視聴者を識別するＩＤである。また、既存の銀行オンラインシステムを通じて謝礼を支払うために必要な個人情報等を著作権管理団体のサーバ装置内の「ユーザＩＤ−ＤＢ」にて管理する契約を前提とする。なお、このユーザＩＤ−ＤＢについては、後で詳述する。 
また、著作権者と著作権管理団体との間では、放送事業者が自らの保有するアーカイブ等の映像資産の放送により著作物の利用が行われ、その著作権料については
視聴者の意志による視聴事実の申告を契機として視聴者に支払いされる旨、予め契約されることを前提とする。さらに、放送事業者とユーザとの間では、予め視聴のための契約が行われていることを前提とする。上記の契約を前提として、まずシステム全体の構成について説明する。
【００３８】
図１は、システムの全体構成を示す図である。本実施例におけるシステムは、サーバ装置１、第１の放送局２、第２の放送局３、ユーザ用コンピュータ４、銀行オンライン端末５、および著作権者用コンピュータ６で構成されており、インターネット７で接続されている。ここで、ユーザ用コンピュータ４が、本発明にいうユーザ端末の一例に相当する。なお、このユーザ用コンピュータ４は、電波を受信して映像等を視聴できるテレビ機能やインターネット接続機能を有している。また、説明をわかりやすくするために、図１には、ユーザ用コンピュータ４が描かれているが、実際には、多数のユーザ用コンピュータがインターネット７で繋がれている。
【００３９】
＜サーバ装置＞
図２は、図１に示すサーバ装置の内部構成を示す図である。このサーバ装置１は、上記著作権管理団体の著作権管理事業者（図１に示す、１ａ）が管理運営するものである。このサーバ装置１には、主な構成要素として、サーバ装置用ＣＰＵ（Ｃｅｎｔｒａｌ  ｐｒｏｃｅｓｓｉｎｇ  Ｕｎｉｔ）１０、サーバ装置用記憶部１１、時間を計測するタイマ１２が設けられている。このサーバ装置用ＣＰＵ１０は、このサーバ装置１の動作を総合的に制御するものである。そして、このサーバ装置用ＣＰＵ１０には、所定のプログラムが組み込まれることによって、シリアル番号生成部１００、ユーザＩＤ生成部１０１、シリアル番号送信部１０２、視聴通知受信部１０３、視聴状況管理部１０４、対価算出部１０５、およびタイマ管理部１０６が構築される。
【００４０】
また、サーバ装置用記憶部１１には、放送番組名＆シリアル番号−ＤＢ１１１と、ユーザＩＤ−ＤＢ１１２と、視聴状況管理−ＤＢ１１３と、アーカイブ権利情報−ＤＢ１１４と、タイマ管理−ＤＢ１１５といった、５種類のデータベースが形成される。
【００４１】
シリアル番号生成部１００は、後述する放送事業者の端末装置からＴＶ番組等のコンテンツの放送番組情報を受信し、この放送番組情報に含まれるコンテンツの放送番組名ごとに固有の識別子としてシリアル番号を生成し、放送番組名とシリアル番号とを対応付けて放送番組名＆シリアル番号−ＤＢ１１１に記憶する。また、属性情報として、著作権者の名前もシリアル番号ごとに記憶される。なお、このシリアル番号が本発明にいうコンテンツ識別情報の一例に相当する。また、シリアル番号生成部が本発明にいうコンテンツ識別情報生成手段の一例に相当する。また、ＴＶ番組等のコンテンツの放送番組情報が本発明にいう放送スケジュール情報の一例に相当する。
【００４２】
図３は、放送番組名＆シリアル番号−ＤＢ内の情報の一例を示す図である。ここでは、放送事業者ごとに所定の年月日における放送番組名とシリアル番号とが対応付けられている。さらに、属性情報として、番組の開始時刻や著作権者の名前もリスト化されている。
【００４３】
また、ユーザＩＤ生成部１０１は、このサーバ装置１とインターネット７を介して接続するユーザコンピュータを操作するユーザを識別するために、ユーザごとにユーザＩＤを生成し、ユーザＩＤ−ＤＢ１１２に記憶する。
【００４４】
図４は、ユーザＩＤ−ＤＢ内の情報の一例を示す図である。図４に示すように、ユーザＩＤ−ＤＢ１１２は、ユーザ名ごとにユーザＩＤが付与される。このユーザＩＤ−ＤＢ１１２は、放送事業者とユーザとの間で、予め視聴契約が締結されたユーザのユーザＩＤ情報と、既存の銀行システムから申告への報酬を支払うのに必要な個人情報とを、著作権管理団体でも情報共有できるようにするデータベースである。なお、図示しないが、ユーザの個人情報（氏名、住所、電話番号、性別、年齢、銀行口座番号等）も、このユーザＩＤ−ＤＢ１１２で管理されている。
【００４５】
また、シリアル番号送信部１０２は、シリアル番号生成部１００で生成したシリアル番号を後述する放送事業者の端末装置に通知するものである（シリアル番号送信手段）。放送事業者は、このシリアル番号の通知を受けることにより、シリアル番号に対応付けられた放送番組を電波にて放送する。このシリアル番号送信手段が、本発明にいうコンテンツ識別情報生成手段の一例に相当する。
【００４６】
また、視聴通知受信部１０３は、シリアル番号とユーザＩＤを受信するものである（視聴通知受信手段）。具体的には、ユーザが放送番組を視聴し、その視聴事実を著作権管理団体へ申告するべく、まず、著作権管理団体の管理するサーバ装置１に開設しているホームページにアクセスして、続いて、ホームページ上でユーザＩＤと視聴した放送番組に対応するシリアル番号を入力することにより、視聴通知受信部では、シリアル番号およびユーザＩＤを受け付ける。
【００４７】
また、視聴状況管理部１０４は、視聴通知受信部１０３にて受信したシリアル番号およびユーザＩＤに基づいて、ユーザごとに各コンテンツの視聴状況を視聴状況管理−ＤＢ１１３に記憶して管理する（視聴状況管理手段）。具体的な処理は以下の通りである。
【００４８】
図５は、視聴状況管理−ＤＢ内の情報の一例を示す図である。図５に示すように、視聴状況管理−ＤＢ１１３は、ユーザごとに視聴状況情報が管理されている。ユーザが複数の番組を視聴すると、それに応じて、データベースに書き加えられる。また、報酬対象の有無についても管理されている。これにより、ユーザから視聴の申告を受け付けると、著作権管理団体は、既存の銀行オンラインシステムを介してユーザの銀行口座に報酬の支払いや著作権者の銀行口座に著作権料の支払いをすることができる。すなわち、広告主から放送事業者および著作権管理団体に支払われた金額の一部は、著作権管理団体が代行する形でユーザや著作権者に支払われる。
【００４９】
ここで、対価算出部１０５は、視聴状況管理−ＤＢ１１３の情報に基づいてユーザに支払われる対価を算出し、また、視聴状況管理−ＤＢ１１３の情報およびアーカイブ権利情報−ＤＢ１１４の情報に基づいて、著作権者に支払われる対価を算出する（対価算出手段）。
【００５０】
図６は、アーカイブ権利情報−ＤＢ内の情報の一例を示す図である。図６に示すように、放送番組名に対応してアーカイブ権利情報が管理されている。ここでいうアーカイブ権利情報とは、例えば、著作権者の氏名（映画監督名、シナリオ作家名、作曲家名、作詞家名等）である。このアーカイブ権利情報から著作権者の氏名を特定することでき、契約内容から著作権者への対価が算出される。
【００５１】
また、タイマ管理部１０６は、シリアル番号の有効期間を管理するためにタイマ１２を用いて計測し、タイマ管理ＤＢ１１５にて、放送番組を表すシリアル番号ごとに時間管理する。この有効期間のタイマ値は、管理者団体の事業者１ａにより任意に設定することができる。
【００５２】
図７は、タイマ管理−ＤＢ１１５内の情報の一例を示す図である。シリアル番号生成部１００でシリアル番号が生成すると、生成時刻をデータベースに書き込むとともに、消滅時刻を書き込む。これにより、タイマ管理部１０６は、タイマ１２の現在時刻に基づいて、タイマ管理−ＤＢ１１５を監視し、消滅時刻を過ぎたシリアル番号については、このタイマ管理−ＤＢ１１５から削除する。
【００５３】
また、サーバ装置１では、ホームページ上から入力されたシリアル番号およびユーザＩＤを受信後、一時メモリ（不図示）にそのシリアル番号およびユーザＩＤを保存する。
【００５４】
続いて、上述した視聴状況管理部１０４では、先に生成済みのシリアル番号と一時メモリに保存されたホームページ上からユーザが入力した視聴事実を示すシリアル番号とを照合すべく、放送番組名＆とシリアル番号−ＤＢ１１１からシリアル番号を参照し、また一時メモリからはユーザよりホームページから入力された視聴事実を示すシリアル番号を読み出す。この時点でシリアル番号のタイマ値が有効期間を超過（タイムアウト）していた場合、シリアル番号有効期限切れ（タイムアウト）につき、放送番組名＆シリアル番号−ＤＢ内において、このシリアル番号の情報が記載されている欄を削除する。
【００５５】
一方、シリアル番号のタイマ値が有効期間内であれば、読み出ししたシリアル番号の照合を実施し、合致する場合、ユーザの申告が正しいものであるとして、サーバ装置１では、広告主がユーザへ謝礼をするための報酬対象としてユーザＩＤおよびシリアル番号を視聴状況管理−ＤＢ１１３に蓄積する。
【００５６】
＜放送局＞
図１に示す、第１の放送局２、第２の放送局３は地上波デジタル放送を行う放送局である。第１の放送局２は、放送事業者２ａによって運営されており、この放送局２内には、放送端末２１、放送装置２２、および放送アンテナ２３が備えられている。この放送端末２１は、インターネット７を介してサーバ装置１と接続しており、放送事業者２ａは、放送端末２１を用いて著作権管理団体のサーバ装置１に対して、放送番組情報を送信するとともに、放送番組名に対応付けられたシリアル番号の発行を依頼する。また、シリアル番号を放送番組のデータに組み込んだ後、放送装置２２は放送アンテナ２３から、電波にて、シリアル番号が含まれた放送番組を放送するものである。一方、第２の放送局３については、放送事業者３ａによって運営されており、第１の放送局２と同様、放送端末３１、放送装置２２、および放送アンテナ２３が備えられている。なお、放送局が放送する番組の提供方法としては、地上波デジタル放送に限られず、ＢＳ（Ｂｒｏａｄｃａｓｔｉｎｇ  Ｓａｔｅｌｌｉｔｅ）、ＣＳ（Ｃｏｍｍｕｎｉｃａｔｉｏｎｓ  Ｓａｔｅｌｌｉｔｅ）放送であってもよい。
【００５７】
＜ユーザ用コンピュータ＞
ユーザ４ａによって操作されるユーザ用コンピュータ４は、上述した通り、第１放送局２、第２の放送局３から放送される番組を受信して視聴できるテレビ機能やインターネット機能を備えている。このユーザ用コンピュータ４には、シリアル番号を抽出するソフトが内蔵されており、受信用アンテナ４１を介して番組を受信すると、このソフトによって番組に対応付けられたシリアル番号が自動的に抽出される。したがって、ユーザは番組視聴後に、このソフトからシリアル番号を入手することができる。また、ユーザ用コンピュータ４は、インターネット７を介して、サーバ装置１のホームページにアクセスすることにより、このユーザ用コンピュータのユーザＩＤを入手する機能を有している。これにより、ユーザは番組視聴後に、サーバ装置１のホームページにアクセスすることでユーザＩＤおよびシリアル番号を申告することができる。本実施例では、予めユーザＩＤがユーザに付与されているとして話を進める。また、ユーザコンピュータ４から視聴申告された後、銀行のオンラインシステムにて、所定の時期に報酬の支払いの通知を受ける。
【００５８】
＜銀行オンライン端末＞
銀行業務者５ａによって提供される銀行オンライン端末５は、著作権管理団体のサーバ装置から、著作権者への著作権料やユーザへの報酬の支払いの通知がなされると、著作権者の銀行口座やユーザの銀行口座に所定の金を送金する。そして、送金した旨の通知を、著作権者用コンピュータやユーザ用コンピュータに電子メール等で通知する。
【００５９】
＜著作権者用コンピュータ＞
著作権者６ａによって使用される著作権者用コンピュータ６は、インターネット７を介して、銀行のオンラインシステムをつながれており、著作権料の振込みがなされると、この著作権者用コンピュータ６に電子メール等で通知される。
【００６０】
[動作]
次に上記システムの動作について説明する。
【００６１】
図８および図９は、システム全体の動作の一例を示すシーケンス図である。ここでは、説明をわかりやすくするため、ユーザ用コンピュータ４を使用しているユーザ４ａが、第１の放送局２、第２の放送局３から地上波デジタル放送番組を受信するものとする。放送事業者２ａや放送事業者３ａは、地上波デジタル放送の放送番組ごとに広告主から著作権料の原資とする広告料の支払いを受ける。また、ユーザ４ａは、受信料の支払いの義務を生じることなく、逆に、放送番組を視聴することで、広告主からの報酬を受ける。なお、第１の放送局２と第２の放送局３とで行われる動作は、同様であるので、以下の説明では、主に第１の放送局２を代表させて話を進める。
【００６２】
まず、シリアル番号を生成するため、放送端末２１から著作権管理団体の有するサーバ１に放送番組情報が送信される（図８のステップＳ１００）。
【００６３】
図１０は、サーバ装置がシリアル番号生成の要求を受け付けて開始される処理ルーチンのフローチャートである。このサーバ装置１がシリアル番号生成の要求として放送番組情報を受信すると（ステップＳ２００）、図２に示すシリアル番号生成部１００が、放送番組情報を解析する（ステップＳ２０１）。そして、各放送番組名に対応付けられたシリアル番号を生成し、放送番組名＆シリアル番号−ＤＢ１１１内に、図３に示すリストを作成する（ステップＳ２０２、図８のステップＳ１０１、シリアル番号生成工程）。このシリアル番号生成工程が本発明にいう識別情報生成工程の一例に相当する。
【００６４】
タイマ管理部１０６は、放送番組情報に基づき、シリアル番号ごとにシリアル番号の有効期間を設定し、タイマ１２を用いて、シリアル番号有効期限までの時間管理を行なう（ステップＳ２０３、図８のステップＳ１０２）。なお、このシリアル番号の有効期間は、著作権管理団体のシステム管理上、任意に設定される。
【００６５】
続いて、シリアル番号送信部から、各放送番組名に対応付けられたシリアル番号の情報を放送端末２１に送信する（ステップＳ２０３、図８のステップＳ１０３、シリアル番号送信工程）。このシリアル番号送信工程で本発明にいう識別情報送信工程の一例に相当する。
【００６６】
ここで、第１の放送局２側では放送端末２１が各放送番組名に対応付けられたシリアル番号の情報を受信すると（図８のステップＳ１０４）、シリアル番号を、対応する番組に組み込み（図８のステップＳ１０５）、放送番組の開始時刻に応じて、放送装置２２から放送アンテナ２３を介して地上波デジタル放送を開始する（図８のステップＳ１０６）。
【００６７】
そして、予め放送事業者と契約しているユーザは、地上波デジタル放送を視聴することができる。ここでは、ユーザ４ａが、ユーザ用コンピュータ４にて地上波デジタル放送を再生すると（図８のステップＳ１０７）、上述した、シリアル番号を抽出するソフトによって番組に対応付けられたシリアル番号が自動的に抽出される（図８のステップＳ１０８）。そこで、ユーザ４ａは番組視聴後に、このソフトからシリアル番号を入手することができる。これにより、ユーザ４ａは番組視聴後に、サーバ装置１のホームページにアクセスすることにより（図８のステップＳ１０９）、サーバ装置１のホームページが開示される（図８のステップＳ１１０）。続いて、ユーザＩＤおよびシリアル番号が入力される（図８のステップＳ１１１）。
【００６８】
図１１は、ユーザＩＤおよびシリアル番号の入力がなされた後に開始される処理ルーチンのフローチャートである。まず、著作権管理団体のサーバ装置１では、視聴通知受信部１０３がホームページ上から入力されたユーザＩＤおよびシリアル番号を受け付けると、一時メモリにユーザＩＤおよびシリアル番号を記憶する（ステップＳ３００、図９のステップＳ１１２、視聴通知受信工程）。
【００６９】
ここで、タイマ管理部１０６では、ユーザが入力したシリアル番号が有効期限内に入力されているか判定する（ステップＳ３０１、図９のステップＳ１１３）。すなわち、タイマ管理部１０６は、タイマ１２の現在時刻に基づいて、タイマ管理−ＤＢ１１５を監視し、ユーザが入力したシリアル番号が消滅時刻を過ぎたか否かを判定する。
【００７０】
ユーザが入力したシリアル番号が有効期限を越えていた場合には（ステップＳ３０１：Ｙｅｓ）、シリアル番号有効期限切れ（タイムアウト）につき、このシリアル番号の項目の欄については、このタイマ管理−ＤＢ１１５から削除する（ステップＳ３０２）。
【００７１】
一方、ユーザが入力したシリアル番号が有効期限内であった場合には（ステップＳ３０１：Ｎｏ）、視聴状況管理部１０４は、既に生成済みのシリアル番号と一時メモリに保存されているシリアル番号とを照合する（ステップＳ３０３）。具体的には、放送番組名＆シリアル番号−ＤＢ１１１からシリアル番号を読み出し、また、一時メモリからはユーザ４ａよりホームページから入力された視聴事実を示すシリアル番号を読み出す。そして、ユーザが入力したシリアル番号と記憶しているシリアル番号とをユーザＩＤごとに照合する。続いて、記憶しているシリアル番号のうちのいずれかとシリアル番号が合致するか否かを判定する（ステップＳ３０４、図９のステップＳ１１４）。
【００７２】
判定結果が一致していた場合には（ステップＳ３０４：Ｙｅｓ）、ユーザ４ａの申告は正しいものであるとして、ユーザ４ａへ謝礼をすべく、報酬対象として視聴状況管理−ＤＢ１１３にユーザＩＤとシリアル番号を蓄積する（ステップＳ３０５、図９のステップＳ１１５）。
【００７３】
一方、判定結果が一致しなかった場合には（ステップＳ３０５：Ｎｏ）、ユーザ４ａの申告に誤りがあるものとして、報酬非対象として視聴状況管理−ＤＢ１１３にユーザＩＤとシリアル番号を蓄積（ステップＳ３０６）する。この場合、著作権管理団体の著作権管理事業者１ａは、別途ユーザ４ａからの問い合わせに備える。
【００７４】
図１２は、報酬、著作権料の支払い処理の指示を受けて開始される処理ルーチンのフローチャートである。正しい申告をしたユーザ４ａに対し、報酬を支払うべく、サーバ装置１の対価算出部１０５は、視聴状況管理−ＤＢ１１３の報酬対象データに蓄積されているユーザＩＤをキーにして、ユーザ４ａへの報酬支払いに必要な個人情報を含む情報が対応管理されたユーザＩＤ−ＤＢ１１２より、報酬支払いに必要な情報を生成する（ステップＳ４００、図９のステップＳ１１６）。具体的には、図５に示す通り、ユーザ４ａ（ユーザＩＤ００１−ａ）が視聴したシリアル番号００１の放送番組は、報酬対象であり、この放送番組に対する報酬が対価計算部１０５によって算出される。また、ユーザ４ａの銀行口座の情報などもユーザＩＤ−ＤＢ１１２から読み出される。
【００７５】
続いて、著作権者６ａに著作権料を支払うべく、報酬を支払うべく、サーバ装置１の対価算出部１０５は、著作権料を算出する（ステップＳ４０１、図９のステップＳ１１７）。
【００７６】
図１３は、各種データベースの保有データに基づいて著作権料の支払いデータを生成するイメージ図である。対価計算部１０５は、まず、視聴状況管理−ＤＢ１１３から、シリアル番号、ユーザＩＤを読み出す。次に、放送番組名＆シリアル番号−ＤＢから放送番組名、シリアル番号、放送事業者のデータを読み出す。さらに、アーカイブ権利情報−ＤＢ１１４から、放送番組名、権利情報のデータを読み出す。そして、対価計算部１０５は、ユーザＩＤ、放送番組名、シリアル番号、放送事業者、および権利情報のデータに基づいて、著作権料を算出する。
【００７７】
その後、著作権管理団体のサーバ装置１から第１の放送局の放送端末２１へ、報酬、著作権料、著作権利団体の代理手数料の支払い請求の通知がなされる（ステップＳ４０２、図９のステップＳ１１８）。そして、放送端末２１が、これらの支払い請求の通知を受領する（図９のステップＳ１１９）。その後、インターネット７を介して銀行事業者５ａの銀行オンライン端末５から著作権利団体の指定の銀行口座に報酬、著作権料等の代金が支払われる（図９のステップＳ１２０）。そして、図９に示す放送局の処理は終了する。
【００７８】
その後、銀行オンライン端末５から、サーバ装置１に、報酬、著作権料等の代金が支払われた旨の通知がなされる。そして、サーバ装置１がこれらの代金の受領を確認すると（図９のステップＳ１２１）、サーバ装置１を利用して銀行オンライン端末５を介して、著作権管理団体の指定口座から、ユーザ４ａの指定口座に報酬が振り込まれる（ステップＳ４０４、図９のステップＳ１２２）。その後、銀行のオンライン端末５からユーザ４ａのユーザ用コンピュータ４に報酬が支払われた旨の通知がなされる。そして、サーバ装置１がこれらの代金の受領を確認することにより（図９のステップＳ１２３）、図９に示すユーザコンピュータ４の処理は終了する。
【００７９】
また、サーバ装置１を利用して銀行オンライン端末５を介して、著作権管理団体の指定口座から、著作権者６ａの指定口座に報酬が振り込まれる（ステップＳ４０５、図９のステップＳ１２４）。これにより、図１２に示す処理ルーチン、および図９に示すサーバ装置１の処理は終了する。
【００８０】
著作権者６ａの指定口座に報酬が振り込まれると、銀行のオンライン端末５から著作権者６ａの著作権者用コンピュータ６に報酬が支払われた旨の通知がなされる。そして、著作権者用コンピュータ６にて、著作権量の受領を確認することにより（図９のステップＳ１２５）、図９に示す著作権者用コンピュータ６の処理は終了する。
【００８１】
以上より、著作権管理団体が著作権処理にかかわるビジネスを簡便に、低コストかつ早期に実現するとともに、著作権者の著作権処理を簡便にすることにより放送によるコンテンツの流通を活性化させる工夫が施された情報処理装置、その情報処理装置による情報管理方法、およびその情報処理装置に組み込まれた情報管理プログラムが提供される。
【００８２】
なお、本実施例では、ユーザに対する報酬として、代金が支払われたが、代金ではなく、ポイント還元のような形式を採用して、所定のポイントが貯まった時点で、交換価値のある品物をユーザに提供するようなシステムを採用してもよい。また、本実施例では、ユーザコンピュータにて、シリアル番号を抽出するソフトを用いたが、このようなソフトに限られず、例えば、コンテンツの放送開始に映像画面の一部にシリアル番号が表示されるようにしてもよい。
【産業上の利用可能性】
【００８３】
本発明は、放送事業者によって放送されるコンテンツの視聴状況を管理する情報処理装置に利用することができ、産業上の利用可能性を有する。
【図面の簡単な説明】
【００８４】
【図１】システムの全体構成を示す図である。
【図２】図１に示すサーバ装置の内部構成を示す図である。
【図３】放送番組名＆シリアル番号−ＤＢ内の情報の一例を示す図である。
【図４】ユーザＩＤ−ＤＢ内の情報の一例を示す図である。
【図５】視聴状況管理−ＤＢ内の情報の一例を示す図である。
【図６】アーカイブ権利情報−ＤＢ内の情報の一例を示す図である。
【図７】タイマ管理−ＤＢ１１５内の情報の一例を示す図である。
【図８】システム全体の動作の一例を示すシーケンス図である。
【図９】システム全体の動作の一例を示すシーケンス図である。
【図１０】サーバ装置がシリアル番号生成の要求を受け付けて開始される処理ルーチンのフローチャートである。
【図１１】ユーザＩＤおよびシリアル番号の入力がなされた後に開始される処理ルーチンのフローチャートである。
【図１２】報酬、著作権料の支払い処理の指示を受けて開始される処理ルーチンのフローチャートである。
【図１３】各種データベースの保有データに基づいて著作権料の支払いデータを生成するイメージ図である。
【符号の説明】
【００８５】
１  サーバ装置
１ａ  著作権管理事業者
２  第１の放送局
２ａ、３ａ  放送事業者
３  第２の放送局
４  ユーザ用コンピュータ
４ａ  ユーザ
５  銀行オンライン端末
５ａ  銀行業務事業者
６  著作権者用コンピュータ
６ａ  著作権者
７  インターネット
１０  サーバ装置用ＣＰＵ
１１  サーバ装置用記憶部
１２  タイマ
２１、３１  放送端末
２２、３２  放送装置
２３、３３  放送アンテナ
４１  受信用アンテナ
１００  シリアル番号生成部
１０１  ユーザＩＤ生成部
１０２  シリアル番号送信部
１０３  視聴通知受信部
１０４  視聴状況管理部
１０５  対価算出部
１０６  タイマ管理部
１１１  放送番組名＆シリアル番号−ＤＢ
１１２  ユーザＩＤ−ＤＢ
１１３  視聴状況管理−ＤＢ
１１４  アーカイブ権利情報−ＤＢ
１１５  タイマ管理−ＤＢ
【図１】
2008191735.tif 000003
【図２】
2008191735.tif 000004
【図３】
2008191735.tif 000005
【図４】
2008191735.tif 000006
【図５】
2008191735.tif 000007
【図６】
2008191735.tif 000008
【図７】
2008191735.tif 000009
【図８】
2008191735.tif 000010
【図９】
2008191735.tif 000011
【図１０】
2008191735.tif 000012
【図１１】
2008191735.tif 000013
【図１２】
2008191735.tif 000014
【図１３】
2008191735.tif 000015